(57)【要約】【課題】使用者が快適な範囲で省エネルギーを実現できる遠隔制御装置を提供する。【解決手段】制御部１１は、空調機器３１に対して設定タイミングで通信を行って、その通信時点での空調機器３１の運転条件を現状運転条件として取得する。さらに制御部１１は、現状運転条件のエネルギー消費量が第一運転条件のエネルギー消費量以下である場合に、第一運転条件を、第一運転条件のエネルギー消費量未満になる運転条件に書き換えて情報記憶部１５に記憶する。【選択図】図１
2018080898.tif 000002
【特許請求の範囲】
【請求項１】
使用者からの設定温度入力を含む操作入力により運転する空調機器に対して通信回線を介して接続され、少なくとも１日の中の時間帯別の前記空調機器の推奨設定温度を含む第一運転条件を情報記憶部に記憶し、前記第一運転条件に応じて前記空調機器に制御指令を送信する制御部を備えた遠隔制御装置において、
前記制御部は、前記空調機器に対して設定タイミングで通信を行って、その通信時点での前記空調機器の設定温度を含む運転条件を現状運転条件として取得し、
前記制御部は、前記現状運転条件のエネルギー消費量が前記第一運転条件のエネルギー消費量以下である場合に、前記第一運転条件を、前記第一運転条件のエネルギー消費量未満になる運転条件に書き換えて前記情報記憶部に記憶する、遠隔制御装置。
【請求項２】
前記制御部は、前記現状運転条件のエネルギー消費量が前記第一運転条件のエネルギー消費量以下である場合に、前記第一運転条件のエネルギー消費量未満かつ前記現状運転条件のエネルギー消費量以下になる第二運転条件を求め、前記第二運転条件に従った運転を行わせる制御指令を前記空調機器に送信する、請求項１に記載の遠隔制御装置。
【請求項３】
前記制御部は、前記第二運転条件に従った運転を行わせる制御指令を前記空調機器に送信した場合に、前記第一運転条件を前記第二運転条件に書き換えて前記情報記憶部に記憶する、請求項２に記載の遠隔制御装置。
【請求項４】
前記制御部は、前記通信を所定の回数行って、それぞれの通信時点で前記現状運転条件のエネルギー消費量が前記第一運転条件のエネルギー消費量以下である場合に、前記第二運転条件を求め、前記第二運転条件に従った運転を行わせる制御指令を前記空調機器に送信する、請求項２または３に記載の遠隔制御装置。
【請求項５】
前記制御部は、前記現状運転条件のエネルギー消費量が前記第一運転条件のエネルギー消費量より大きい場合に、前記現状運転条件のエネルギー消費量以下であり前記第一運転条件のエネルギー消費量を超えるエネルギー消費量になる第三運転条件を求め、前記第三運転条件に従った運転を行わせる制御指令を前記空調機器に送信する、請求項１から４の何れか一項に記載の遠隔制御装置。
【請求項６】
前記制御部は、前記第三運転条件に従った運転を行わせる制御指令を前記空調機器に送信した場合に、前記第一運転条件を前記第三運転条件に書き換えて前記情報記憶部に記憶する、請求項５に記載の遠隔制御装置。
【請求項７】
前記制御部は、前記通信を所定の回数行って、それぞれの通信時点で前記現状運転条件のエネルギー消費量が前記第一運転条件のエネルギー消費量より大きい場合に、前記第三運転条件を求め、前記第三運転条件に従った運転を行わせる制御指令を前記空調機器に送信する、請求項５または６に記載の遠隔制御装置。
【請求項８】
前記制御部は、前記現状運転条件のエネルギー消費量が前記第一運転条件のエネルギー消費量より小さい場合に、前記第一運転条件を、前記現状運転条件に書き換えて前記情報記憶部に記憶する、請求項１から７の何れか一項に記載の遠隔制御装置。
【請求項９】
前記第一運転条件は、さらに推奨設定湿度を含む、請求項１から８の何れか一項に記載の遠隔制御装置。
【請求項１０】
前記現状運転条件は、さらに設定湿度を含む、請求項９に記載の遠隔制御装置。
【発明の詳細な説明】
【技術分野】
【０００１】
本発明は、使用者からの設定温度入力を含む操作入力により運転する空調機器に対して通信回線を介して接続され、少なくとも１日の中の時間帯別の空調機器の推奨設定温度を含む第一運転条件を情報記憶部に記憶し、第一運転条件に応じて空調機器に制御指令を送信する制御部を備えた遠隔制御装置に関する。
【背景技術】
【０００２】
省エネルギーを実現できる空調機器の遠隔制御装置として、使用者からの操作入力により運転される空調機器に対して設定タイミングで通信を行って、その通信時点での、空調機器の運転状況に関する情報を取得して情報記憶手段に記憶する運転状況監視手段と、運転状況監視手段が取得した運転状況に関する情報が、推奨運転条件と相違するか否かを判定する運転状況判定手段と、運転状況判定手段の判定結果に基づいて、推奨運転条件と相違する運転状況の空調機器に対して、推奨運転条件に従った運転を行わせる制御指令を送信する制御指令送信手段と、を備える遠隔制御装置が知られている（特許文献１）。
【先行技術文献】
【特許文献】
【０００３】
【特許文献１】特開２０１０−７８１８４号公報
【発明の概要】
【発明が解決しようとする課題】
【０００４】
上記のような遠隔制御装置は、現状運転条件があらかじめ設定された推奨運転条件と同等か、より省エネルギーな設定である場合には、現状運転条件が変更されないため、実質的に省エネルギーを実現できない場合がある。
上記のような遠隔制御装置には、以下の点で、さらなる工夫の余地がある。すなわち、現状運転条件が推奨運転条件と同等か、より省エネルギーな設定である場合には、使用者にとって、現状運転条件が十分に快適であり、省エネルギーな運転条件に変更する余地が存在する蓋然性が高いにもかかわらず、なんら省エネルギーを実現する動作が行われない。
そこで、省エネルギーな運転条件に変更する余地が存在する場合には、あらかじめ設定された推奨運転条件に関わらず、省エネルギーを実現できる遠隔制御装置が望まれる。
【０００５】
本発明は、かかる実状に鑑みて為されたものであって、その目的は、省エネルギーな運転条件に変更する余地が存在する場合には適切に省エネルギーを実現できる遠隔制御装置を提供することにある。
【課題を解決するための手段】
【０００６】
上記目的を達成するための本発明に係る遠隔制御装置の特徴構成は、
使用者からの設定温度入力を含む操作入力により運転する空調機器に対して通信回線を介して接続され、少なくとも１日の中の時間帯別の前記空調機器の推奨設定温度を含む第一運転条件を情報記憶部に記憶し、前記第一運転条件に応じて前記空調機器に制御指令を送信する制御部を備えた遠隔制御装置において、
前記制御部は、前記空調機器に対して設定タイミングで通信を行って、その通信時点での前記空調機器の設定温度を含む運転条件を現状運転条件として取得し、
前記制御部は、前記現状運転条件のエネルギー消費量が前記第一運転条件のエネルギー消費量以下である場合に、前記第一運転条件を、前記第一運転条件のエネルギー消費量未満になる運転条件に書き換えて前記情報記憶部に記憶する点にある。
【０００７】
ここで、現状運転条件のエネルギー消費量が第一運転条件のエネルギー消費量以下である場合とは、空調機器のエネルギー消費量において、現状運転条件のエネルギー消費量が第一運転条件のエネルギー消費量以下であると制御部が判定可能である場合のことを言う。運転条件のエネルギー消費量が第一運転条件のエネルギー消費量以下であると制御部が判定する場合には、現状運転条件のエネルギー消費量と、第一運転条件のエネルギー消費量とを実際に求めたと仮定した場合に、現状運転条件のエネルギー消費量が第一運転条件のエネルギー消費量以下になると想定される場合を含み、必ずしもエネルギー消費量を実際に求める場合に限られない。
【０００８】
空調機器が暖房の設定である場合、現状運転条件のエネルギー消費量が第一運転条件のエネルギー消費量以下である場合としては、空調機器の現状の設定温度が推奨設定温度と同じか、低い場合が該当する。
また、空調機器が冷房の設定である場合、現状運転条件のエネルギー消費量が第一運転条件のエネルギー消費量以下である場合としては、空調機器の現状の設定温度が推奨設定温度と同じか、高い場合が該当する。
すなわち、現状運転条件のエネルギー消費量が第一運転条件のエネルギー消費量以下である場合としては、空調機器の現状の空調出力が、第一運転条件で空調機器が動作した場合の空調出力と同じか、小さい場合が該当する。
【０００９】
具体的には、現状運転条件のエネルギー消費量が第一運転条件のエネルギー消費量以下である場合とは、省エネルギーに設定したつもりの第一運転条件で動作する空調機器の空調出力が十分足りる場合や、省エネルギーに設定したつもりの第一運転条件で動作する空調機器の空調出力がむしろ過剰な場合であって、第一運転条件と同じ運転条件か、より省エネルギーな運転条件を、使用者自らが現状運転条件として空調機器に操作入力して空調機器を動作させている場合である。
【００１０】
このように第一運転条件で動作する空調機器の空調出力が十分足りる場合や、第一運転条件で動作する空調機器の空調出力がむしろ過剰な場合は、第一運転条件を現状維持することは省エネルギーを実現するために適切ではない。また、使用者にとって、現状運転条件が十分に快適であることを鑑みれば、使用者にとって快適な状態を維持しつつ、第一運転条件をさらに省エネルギーな運転条件に変更する余地が存在する蓋然性が高いと言える。したがって、これらの場合は、第一運転条件で省エネルギーを実現できないため、第一運転条件を維持するのは適切でない。
【００１１】
そこで、上記構成によれば、第一運転条件が省エネルギーを実現するために適切でない場合にも、現在の第一運転条件を、現在の第一運転条件よりも省エネルギーな運転条件に書き換えることができる。
したがって、省エネルギーな運転条件に変更する余地が存在する場合には適切に省エネルギーを実現できる遠隔制御装置を提供することができる。
【００１２】
本発明に係る遠隔制御装置の更なる特徴構成は、
前記制御部は、前記現状運転条件のエネルギー消費量が前記第一運転条件のエネルギー消費量以下である場合に、前記第一運転条件のエネルギー消費量未満かつ前記現状運転条件のエネルギー消費量以下になる第二運転条件を求め、前記第二運転条件に従った運転を行わせる制御指令を前記空調機器に送信する点にある。
【００１３】
上記構成によれば、遠隔制御装置は、現状運転条件のエネルギー消費量が第一運転条件のエネルギー消費量以下である場合に、空調機器を、第一運転条件よりも省エネルギーであって、かつ、少なくとも現状運転条件と同じか、現状運転条件より省エネルギーな第二運転条件で運転させることができる。
【００１４】
上述のように第一運転条件で動作する空調機器の空調出力が十分足りる場合や、第一運転条件で動作する空調機器の空調出力がむしろ過剰な場合は、第一運転条件に従った運転を空調機器に行わせるのは省エネを実現するために適切ではない。また、使用者にとって、現状運転条件が十分に快適であることを鑑みれば、使用者にとって快適な状態を維持しつつ、第一運転条件をさらに省エネルギーな運転条件に変更して空調機器を動作させる余地が存在する蓋然性が高いと言える。したがって、これらの場合は、第一運転条件で省エネルギーを実現できないため、第一運転条件を維持し、当該第一運転条件に従った運転を空調機器に行わせるのは適切でない。
【００１５】
つまり、上記構成によれば、第一運転条件が省エネルギーを実現するために適切でない場合にも、空調機器を省エネルギーな第二運転条件で運転させることができる。
したがって、省エネルギーな運転条件に変更する余地が存在する場合には適切に省エネルギーを実現できる遠隔制御装置を提供することができる。
【００１６】
本発明に係る遠隔制御装置の更なる特徴構成は、
前記制御部は、前記第二運転条件に従った運転を行わせる制御指令を前記空調機器に送信した場合に、前記第一運転条件を前記第二運転条件に書き換えて前記情報記憶部に記憶する点にある。
【００１７】
上記構成によれば、少なくとも当初の（第二運転条件に書き換える前の）第一運転条件のエネルギー消費量未満になる運転条件であり、第一運転条件よりも省エネルギーな第二運転条件を、新たな第一運転条件とすることができる。
【００１８】
本発明に係る遠隔制御装置の更なる特徴構成は、
前記制御部は、前記通信を所定の回数行って、それぞれの通信時点で前記現状運転条件のエネルギー消費量が前記第一運転条件のエネルギー消費量以下である場合に、前記第二運転条件を求め、前記第二運転条件に従った運転を行わせる制御指令を前記空調機器に送信する点にある。
【００１９】
所定の回数だけ通信を行った場合に、所定の回数のそれぞれの通信時点で現状運転条件のエネルギー消費量が第一運転条件のエネルギー消費量以下である場合、すなわち継続的に現状運転条件のエネルギー消費量が第一運転条件のエネルギー消費量以下である場合は、使用者にとって、現状運転条件が十分に快適であり、さらに省エネルギーな運転条件に変更する余地が存在する蓋然性がきわめて高いと判断される。
したがって、上記構成によれば、使用者が快適な範囲で省エネルギーを実現できる遠隔制御装置を確実に提供することができる。
【００２０】
本発明に係る遠隔制御装置の更なる特徴構成は、
前記制御部は、前記現状運転条件のエネルギー消費量が前記第一運転条件のエネルギー消費量より大きい場合に、前記現状運転条件のエネルギー消費量以下であり前記第一運転条件のエネルギー消費量を超えるエネルギー消費量になる第三運転条件を求め、前記第三運転条件に従った運転を行わせる制御指令を前記空調機器に送信する点にある。
【００２１】
上記構成によれば、遠隔制御装置は、現状運転条件のエネルギー消費量が第一運転条件のエネルギー消費量より大きい場合に、空調機器を、少なくとも現状運転条件よりも、省エネルギーな第三運転条件で運転させることができる。
【００２２】
空調機器が暖房の設定である場合、現状運転条件のエネルギー消費量が第一運転条件のエネルギー消費量より大きい場合とは、現状運転条件のエネルギー消費量が第一運転条件のエネルギー消費量より大きいと制御部が判定可能である場合のことを言い、空調機器の現状の設定温度が推奨設定温度よりも高い場合が該当する。
また、空調機器が冷房の設定である場合、空調機器の現状の設定温度が推奨設定温度よりも低い場合が該当する。
すなわち、現状運転条件のエネルギー消費量が第一運転条件のエネルギー消費量より大きい場合としては、空調機器の現状の空調出力が、第一運転条件の場合の空調出力よりも大きい場合が該当する。
【００２３】
具体的には、現状運転条件のエネルギー消費量が第一運転条件のエネルギー消費量より大きい場合とは、省エネルギーに設定された第一運転条件で空調機器が運転されると、使用者にとっては空調機器の空調出力が小さくて、暖房時寒かったり、冷房時暑かったりなどして快適ではない場合に、第一運転条件よりも省エネルギーではない運転条件を、使用者自らが現状運転条件とし空調機器に操作入力して空調機器を動作させている場合である。
【００２４】
つまり、上記構成によれば、空調機器を少なくとも現状運転条件よりも省エネルギーな運転条件で運転させながら、少なくとも第一運転条件で空調機器が運転される場合よりも、使用者にとって快適とすることができる。
また、省エネルギーな運転条件に変更する余地が存在する蓋然性が高いと一旦判断し、第一運転条件を、使用者にとっては空調機器の空調出力が小さくて快適でない条件に変更してしまった場合に、使用者にとって快適な、変更前の条件に戻すこともできる。
したがって、使用者が快適な範囲で省エネルギーを実現できる遠隔制御装置を提供することができる。
【００２５】
本発明に係る遠隔制御装置の更なる特徴構成は、
前記制御部は、前記第三運転条件に従った運転を行わせる制御指令を前記空調機器に送信した場合に、前記第一運転条件を前記第三運転条件に書き換えて前記情報記憶部に記憶する点にある。
【００２６】
上記構成によれば、少なくとも現状運転条件よりも省エネルギーな運転条件であって、少なくとも当初の（第三運転条件に書き換える前の）第一運転条件よりも、使用者にとって快適な運転条件を新たな第一運転条件とすることができる。
したがって、使用者が快適な範囲で省エネルギーを実現できる遠隔制御装置を提供することができる。
【００２７】
本発明に係る遠隔制御装置の更なる特徴構成は、
前記制御部は、前記通信を所定の回数行って、それぞれの通信時点で前記現状運転条件のエネルギー消費量が前記第一運転条件のエネルギー消費量より大きい場合に、前記第三運転条件を求め、前記第三運転条件に従った運転を行わせる制御指令を前記空調機器に送信する点にある。
【００２８】
所定の回数だけ通信を行った場合に、所定の回数のそれぞれの通信時点で現状運転条件のエネルギー消費量が第一運転条件のエネルギー消費量より大きい場合、すなわち継続的に現状運転条件のエネルギー消費量が第一運転条件のエネルギー消費量より大きい場合は、遠隔制御装置が空調機器に対して第一設定条件を設定する度に、空調機器の空調出力がより大きくなるように使用者が空調機器の設定を変更した場合であると判断される。つまり、省エネルギーに設定された第一運転条件で空調機器が運転されると、使用者にとっては快適でない蓋然性が高いと判断される。
したがって、上記構成によれば、使用者が快適な範囲で省エネルギーを実現できる遠隔制御装置を確実に提供することができる。
【００２９】
本発明に係る遠隔制御装置の更なる特徴構成は、
前記制御部は、前記現状運転条件のエネルギー消費量が前記第一運転条件のエネルギー消費量より小さい場合に、前記第一運転条件を、前記現状運転条件に書き換えて前記情報記憶部に記憶する点にある。
【００３０】
たとえば、空調機器が暖房の設定である場合、現状運転条件のエネルギー消費量が第一運転条件のエネルギー消費量より小さい場合とは、現状運転条件のエネルギー消費量が第一運転条件のエネルギー消費量より小さいと制御部が判定可能である場合のことを言い、空調機器の現状の設定温度が推奨設定温度よりも低い場合が該当する。
また、空調機器が冷房の設定である場合、空調機器の現状の設定温度が推奨設定温度よりも高い場合が該当する。
つまり、現状運転条件のエネルギー消費量が第一運転条件のエネルギー消費量よりも小さい場合としては、使用者にとっては省エネルギーに設定された第一運転条件で空調機器が運転されると、既に十分に快適であるか、むしろ空調機器の出力が大きすぎて快適ではない場合である。
【００３１】
したがって、現状運転条件のエネルギー消費量が第一運転条件のエネルギー消費量より小さい場合には、第一運転条件を、現状運転条件に書き換えて前記情報記憶部に記憶することで、第一運転条件で空調機器が運転される場合よりも、省エネで、使用者にとって快適性を損なわないか、むしろ快適とすることができる。
したがって、上記構成によれば、使用者が快適な範囲で省エネルギーを実現できる遠隔制御装置を確実に提供することができる。
【００３２】
本発明に係る遠隔制御装置の更なる特徴構成は、前記第一運転条件は、さらに推奨設定湿度を含む点にある。
また、本発明に係る遠隔制御装置の更なる特徴構成は、前記現状運転条件は、さらに設定湿度を含む点にある。
【００３３】
上記構成によれば、温度のみならず、湿度の点でも使用者が快適な範囲で省エネルギーを実現できる遠隔制御装置を確実に提供することができる。
【図面の簡単な説明】
【００３４】
【図１】遠隔制御装置を示す図
【図２】管理者端末の表示画面の例を示す図
【図３】事例３の場合の遠隔制御装置の制御の状態を示す図
【図４】事例４の場合の遠隔制御装置の制御の状態を示す図
【図５】事例５の場合の遠隔制御装置の制御の状態を示す図
【図６】事例６の場合の遠隔制御装置の制御の状態を示す図
【発明を実施するための形態】
【００３５】
以下に図面を参照して本発明に係る遠隔制御装置について説明する。
図１は、遠隔制御装置１０が運用されるシステムの構成を示す図である。このシステムは、少なくとも冷房モード及び暖房モードを含む複数の運転モードで運転または停止される複数の空調機器３１と、それらの空調機器３１の管理者が操作する管理者端末２０と、空調機器３１及び管理者端末２０に対して電気通信回線Ｎ（通信回線）を介して接続される遠隔制御装置１０とを備える。
【００３６】
この遠隔制御装置１０は、少なくとも空調機器３１に対してあらかじめパトロール時刻として定められた設定タイミングで通信を行って、その通信時点での空調機器３１の設定温度を含む運転条件を現状運転条件として取得し、あらかじめ定めた推奨設定温度を含む第一運転条件に応じた制御指令を空調機器３１に送信する、「パトロール」動作を行う、パトロール機能を備えている。
【００３７】
管理者は、図１に例示するようなビル３０の所有者または管理者であり、そのビル３０に設置されている複数の空調機器３１の管理を行う。本発明に係る遠隔制御装置１０は、それらの空調機器３１の管理を行うために用いられる。遠隔制御装置１０及び管理者端末２０は、コンピュータなどの情報処理機能を備えた装置で実現できる。
図１では、ビル３０を１棟だけ記載しているが、空調機器３１が電気通信回線Ｎに接続されているのであれば、複数棟のビルなどに分散して設置された空調機器３１の管理を行うことも同様に可能である。
【００３８】
空調機器３１は、室外機３４と室内機３３と入力部３２とを備える。入力部３２は、空調機器３１に対して各別に設定温度入力を含む運転条件などの各種の情報の入力などを使用者が行う際に用いる装置である。
【００３９】
管理者は、遠隔制御を行って空調機器３１の省エネルギー運転を推進するために、空調機器３１の無駄な運転を抑制するために、或いは、空調機器３１の使用者にとって必要な運転を提供するためなどに、遠隔制御装置１０を用いる。具体的には、遠隔制御装置１０は、運転条件受付部１９と制御部１１と情報記憶部１５を備える。
遠隔制御装置１０が備える運転条件受付部１９と制御部１１とは、いわゆるコンピュータなどに備えられている機能及び機器によって実現できる。
また、遠隔制御装置１０が備える情報記憶部１５は、いわゆるコンピュータなどに備えられている記憶装置（メモリ、ハードディスクなど）によって実現できる。
【００４０】
空調機器３１は、電気通信回線Ｎに接続されているので、使用者が入力部３２で入力した情報、室内機３３の運転状況に関する情報（空調機器３１の設定温度など）は、電気通信回線Ｎを介して遠隔制御装置１０で取得できる。空調機器３１は、室内機３３が設置されている場所の実際の温度を検出する室内温度計３５と、室外機３４が設置されている場所の実際の温度を検出する室外温度計３６とを備えている。空調機器３１は、自身の運転制御にその温度の検出結果を利用できる。
【００４１】
運転条件受付部１９は、複数の空調機器３１のそれぞれに対して、少なくとも１日の中の時間帯別に、空調機器３１の運転または停止の種別、運転モードの種別、その運転モードでの推奨設定温度を含む第一運転条件の入力を管理者端末２０から受け付けて情報記憶部１５に記憶する。図２は、管理者端末２０における表示画面４０の表示例を示す図である。
【００４２】
図２に示すように、管理者は、適用日設定部４１において、空調機器３１の遠隔制御を行う適用日を設定できる。例えば、管理者は、遠隔制御の適用日を、月日、曜日、祝祭日の属性から設定でき、ある１ヶ月間の全曜日を遠隔制御の適用日として設定することや、ある１ヶ月の祝祭日を除く平日を遠隔制御の適用日として設定することもできる。
図２中において月日はプルダウンメニュー形式で選択でき、曜日の指定及び「祝祭日を除く」の指定はチェックボックスにチェックを入れることで設定できる。
【００４３】
また、図２に示すように、管理者は、パトロール時刻設定部４２において、空調機器３１のパトロール及び遠隔制御を行う時間帯及び間隔を設定できる。例えば、管理者は、遠隔制御の開始時刻及び終了時刻で規定される時間帯を設定でき、及び、遠隔制御を行う間隔（タイミング）を設定できる。
図２中において、遠隔制御の開始時刻、終了時刻、及び、遠隔制御を行う間隔はプルダウンメニュー形式で選択できる。
【００４４】
更に、図２に示すように、管理者は、メニュー欄４４から４６が設けられている詳細条件設定部４３において、空調機器３１の推奨設定条件を設定できる。この推奨設定条件は、本例の第一運転条件の概念に含まれる。
図２に示す例では、推奨設定条件はプルダウンメニュー形式で設定可能である。
例えば、メニュー欄４４では、空調機器３１の状況が「運転」であるのかまたは「停止」であるのか（即ち、空調機器３１の運転または停止の種別）を指定できる。
メニュー欄４５では、空調機器３１の運転モードが「冷房」であるのかまたは「暖房」であるのか（即ち、運転モードの種別）を指定できる。
メニュー欄４６では、設定温度を指定できる。
【００４５】
図２に示した例では、空調機器３１を「運転」状態とし、「暖房モード」で、設定温度を「２５」℃にするという条件の入力を行える。
【００４６】
以上のような、複数の空調機器３１のそれぞれに対して、パトロール時刻設定部４２で設定されるパトロール時間帯（開始時刻及び終了時刻）及びパトロール間隔についての情報、及び、詳細条件設定部４３で設定される設定温度などの情報は、「第一運転条件」の概念に含まれる。
【００４７】
図２の対象機器表示欄５１では、遠隔制御の対象とする空調機器３１を指定できる。例えば、選択チェックボックス５２にチェックを入れることで、その空調機器３１を遠隔制御の対象とすることができる。
【００４８】
以上のように、管理者が管理者端末２０を用いて適用日設定部４１、パトロール時刻設定部４２、詳細条件設定部４３及び対象機器表示欄５１への入力を行った後、設定ボタン５３を選択入力すると、入力した内容が管理者端末２０から遠隔制御装置１０に電気通信回線Ｎを介して伝送される。
【００４９】
遠隔制御装置１０の運転条件受付部１９は、複数の空調機器３１のそれぞれに対して、少なくとも１日の中の時間帯別に、上述したような空調機器３１の運転または停止の種別、運転モードの種別、その運転モードでの推奨設定温度を含む第一運転条件の入力を管理者端末２０から受け付けて情報記憶部１５に記憶する。
【００５０】
遠隔制御装置１０の制御部１１はパトロールとして、複数の空調機器３１に対して、パトロール時刻設定部４２に入力された設定タイミングで定期的に通信を行って、その通信時点での、空調機器３１の運転または停止の種別、空調機器３１が運転されている場合の運転モードの種別、空調機器３１が運転されている場合のその運転モードでの設定温度を含む運転状況に関する情報を取得して、現状運転条件として情報記憶部１５に記憶する。
【００５１】
制御部１１は、取得した運転状況に関する情報が、上記第一運転条件と相違するか否かを判定する。
制御部１１は、この判定結果に基づいて、複数の空調機器３１のうち、現状運転条件が第一運転条件と相違する空調機器３１に対して、第一運転条件に従った運転を行わせる制御指令を送信する。
【００５２】
なお、空調機器３１の実際の使用者は、上記制御指令によって空調機器３１の設定温度などの運転状況が変更されたとしても、入力部３２を用いて更に設定温度などを変更することも可能である。
【００５３】
本例の遠隔制御装置１０は、さらに、使用者にとって、現状運転条件が十分に快適であり、さらに省エネルギーな運転条件に変更する余地が存在する場合には、あらかじめ設定された第一運転条件に関わらず省エネルギーを実現できる、自動調整を行う第一自動調整モードを備えている。
【００５４】
本例の遠隔制御装置１０は、さらに、使用者が快適な範囲で省エネルギーを実現できる第二自動調整モードを備えている。
【００５５】
通常は、第一自動調整モードと、第二自動調整モードは、同時に実行可能とする。
しかし、第一自動調整モード、もしくは第二自動調整モードのみを選択的に実行させることももちろん可能である。
【００５６】
図２の対象機器表示欄５１では、メニュー欄５４において、空調機器３１毎に自動調整の有効もしくは無効を設定できる。この自動調整の有効もしくは無効は、例えばプルダウンメニュー形式で選択するようにもできる。
以下、第一自動調整モードと、第二自動調整モードとについて、順に詳述する。
【００５７】
まず、第一自動調整モードについて説明する。
第一自動調整モードとは、省エネルギーに設定したつもりの第一運転条件で空調機器３１を運転された場合に、使用者が感じる快適さにおいて、空調機器３１の空調出力が十分であるか、むしろ空調出力が過剰な場合に、第一運転条件をより省エネルギーな運転条件に自動的に変更する機能である。
【００５８】
第一自動調整モードでの動作が有効とされた場合に、制御部１１がどのように空調機器３１の運転条件の制御を行うのかについて、以下、具体的に説明していく。
【００５９】
第一自動調整モードの動作を説明する。
制御部１１は、本例では、第一自動調整モードにおいて以下の動作を行う。
すなわち、制御部１１は、空調機器３１に対して設定タイミングで通信を行って、その通信時点での空調機器３１の設定温度Ｔ１を含む運転条件を現状運転条件として取得する。
【００６０】
さらに制御部１１は、現状運転条件のエネルギー消費量が第一運転条件のエネルギー消費量以下であると判定する場合に、空調機器３１のエネルギー消費量が、第一運転条件のエネルギー消費量未満かつ現状運転条件のエネルギー消費量以下になる第二運転条件を求め、第二運転条件に従った運転を行わせる制御指令を空調機器３１に送信する動作を行う。そして、第一運転条件を第二運転条件に書き換えて情報記憶部１５に記憶する。
ここで、第一運転条件のエネルギー消費量とは、第一運転条件で空調機器を運転した場合の空調機器３１のエネルギー消費量のことを言う。
【００６１】
なお、制御部１１は、通信を所定の回数行って、それぞれの通信時点で現状運転条件のエネルギー消費量が第一運転条件のエネルギー消費量以下であると判定する場合に、第二運転条件を求め、第二運転条件に従った運転を行わせる制御指令を空調機器３１に送信することができる。
【００６２】
たとえば制御部１１は、通信を１回ずつ行って、その通信時点で現状運転条件のエネルギー消費量が第一運転条件のエネルギー消費量以下であると判定する場合に、第二運転条件を求め、第二運転条件に従った運転を行わせる制御指令を空調機器３１に送信することができる。
【００６３】
もしくは制御部１１は、通信を２回ずつ行って、それぞれの通信時点で現状運転条件のエネルギー消費量が第一運転条件のエネルギー消費量以下であると判定する場合に、第二運転条件を求め、第二運転条件に従った運転を行わせる制御指令を空調機器３１に送信することができる。
【００６４】
もしくは制御部１１は、通信を一日間継続して行って、その一日を通じて現状運転条件のエネルギー消費量が第一運転条件のエネルギー消費量以下であると判定する場合に、第二運転条件を求め、翌日に第一運転条件を第二運転条件に書き換えて、第二運転条件に従った運転を、翌日以降に行わせる制御指令を空調機器３１に送信することができる。
【００６５】
第二自動調整モードについて説明する。
第二自動調整モードとは、省エネルギーに設定された第一運転条件で空調機器が運転されたが、使用者にとっては第一運転条件で空調機器３１が運転されると暖房時寒かったり、冷房時暑かったりなどして快適ではない場合において、使用者が、空調機器３１の現状運転条件を、使用者自身が快適に感じる運転条件になるよう変更するために、入力部３２を介して空調機器３１に操作入力した場合に、その使用者の操作入力を考慮して、省エネルギー性と、使用者の快適さのバランスを取る運転条件に、第一運転条件を自動的に変更して最適化する機能である。
【００６６】
第二自動調整モードでの動作が有効とされた場合に、制御部１１がどのように空調機器３１の運転条件の制御を行うのかについて、以下、具体的に説明していく。
【００６７】
まず、第二自動調整モードの動作を説明する。
制御部１１は、本例では、第二自動調整モードにおいて以下の動作を行う。
すなわち、制御部１１は、空調機器３１に対して設定タイミングで通信を行って、その通信時点での空調機器３１の設定温度Ｔ１を含む運転条件を現状運転条件として取得する。
【００６８】
さらに制御部１１は、現状運転条件のエネルギー消費量が第一運転条件のエネルギー消費量より大きいと判定する場合に、空調機器３１のエネルギー消費量が、現状運転条件のエネルギー消費量以下であり第一運転条件のエネルギー消費量を超えるエネルギー消費量になる第三運転条件、すなわち現状運転条件のエネルギー消費量と第一運転条件のエネルギー消費量との間のエネルギー消費量になる第三運転条件を求め、第三運転条件に従った運転を行わせる制御指令を空調機器に送信する動作を行う。そして、第一運転条件を第三運転条件に書き換えて情報記憶部１５に記憶する。
【００６９】
一方制御部１１は、現状運転条件のエネルギー消費量が第一運転条件のエネルギー消費量より小さいと判定する場合に、現状運転条件を第三運転条件として定め、第一運転条件を、現状運転条件と同じ値に設定された第三運転条件に書き換えて情報記憶部に記憶する。
【００７０】
なお、制御部１１は、通信を所定の回数行って、それぞれの通信時点で現状運転条件のエネルギー消費量が第一運転条件のエネルギー消費量より大きいと判定する場合に、第三運転条件を求め、第三運転条件に従った運転を行わせる制御指令を空調機器３１に送信することができる。
【００７１】
たとえば制御部１１は、通信を１回ずつ行って、その通信時点で現状運転条件のエネルギー消費量が第一運転条件のエネルギー消費量より大きいと判定する場合に、第三運転条件を求め、第三運転条件に従った運転を行わせる制御指令を空調機器３１に送信することができる。
【００７２】
もしくは制御部１１は、通信を２回ずつ行って、それぞれの通信時点で現状運転条件のエネルギー消費量が第一運転条件のエネルギー消費量より大きいと判定する場合に、第三運転条件を求め、第三運転条件に従った運転を行わせる制御指令を空調機器３１に送信することができる。
【００７３】
もしくは制御部１１は、通信を一日間継続して行って、それぞれの通信時点で現状運転条件のエネルギー消費量が第一運転条件のエネルギー消費量より大きいと判定する場合に、第三運転条件を求め、翌日に第一運転条件を第三運転条件に書き換えて、第三運転条件に従った運転を、翌日以降に行わせる制御指令を空調機器３１に送信することができる。
【００７４】
以下ではさらに、遠隔制御装置１０の動作の具体例を説明していく。
まず、本例の遠隔制御装置１０の基本的な動作を、説明する。
この説明では、運転モードが暖房である場合を説明するが、冷房の場合でも、温度設定の大小が逆転するのみで、その概念は同様である。
推奨設定条件には、あらかじめ管理者端末２０における表示画面４０で入力して情報記憶部１５に記憶した第一運転条件が設定されている。
【００７５】
〔事例１〕
まず、省エネルギー運転が実現される場合を説明する。
たとえば、推奨設定条件として、あらかじめ管理者端末２０における表示画面４０で入力して情報記憶部１５に記憶した第一運転条件が設定されている。本例では、暖房モードで２６℃が設定されている。つまり、設定温度Ｔ２が２６℃に設定されている。
以下、現状運転条件として、設定温度Ｔ１が３０℃に設定されている場合を例示する。
【００７６】
制御部１１はパトロールとして、空調機器３１に対して、時刻ｔｍ（ｍは１以上の整数）に通信を行って、その時刻ｔｍ時点での、空調機器３１の現状運転条件を取得する。
【００７７】
たとえば、時刻ｔｍにおいて空調機器３１が運転状態にあり、暖房モードで運転され、空調機器３１の設定温度Ｔ１が３０℃に設定されていると、時刻ｔｍの時点で、現状運転条件（設定温度Ｔ１）と推奨設定条件（設定温度Ｔ２）とは相違する。また、設定温度Ｔ１の値が設定温度Ｔ２よりも高いため、現状運転条件のエネルギー消費量が第一運転条件のエネルギー消費量より大きいと判定する場合である。したがって、制御部１１は、空調機器３１に対して、推奨設定条件すなわち第一運転条件に従った運転として、設定温度Ｔ１の設定値を２６℃に変更する制御指令を送信することができる。
したがって、空調機器３１の設定温度Ｔ１が３０℃から２６℃に変更されて省エネルギー運転が実現される。
【００７８】
〔事例２〕
次に、省エネルギー運転が実現されない場合を説明する。
たとえば、推奨設定条件として、あらかじめ管理者端末２０における表示画面４０で入力して情報記憶部１５に記憶した第一運転条件が設定されている。本例では、暖房モードで２８℃が設定されている。つまり、設定温度Ｔ２が２８℃に設定されている。
以下、現状運転条件として、設定温度Ｔ１が２７℃に設定されている場合を例示する。
【００７９】
制御部１１はパトロールとして、空調機器３１に対して、時刻ｔｍ（ｍは１以上の整数）に通信を行って、その時刻ｔｍ時点での、空調機器３１の現状運転条件を取得する。
たとえば、時刻ｔｍにおいて空調機器３１が運転状態にあり、暖房モードで運転され、空調機器３１の設定温度Ｔ１が２７℃に設定されていると、時刻ｔｍの時点で、現状運転条件（設定温度Ｔ１）と推奨設定条件（設定温度Ｔ２）とは相違する。しかし、設定温度Ｔ１が設定温度Ｔ２よりも小さいため、現状運転条件のエネルギー消費量が第一運転条件のエネルギー消費量より小さいと判定する場合である。したがって、制御部１１は、空調機器３１に対して、推奨設定条件すなわち第一運転条件に従った運転として、設定温度Ｔ１の設定値を２８℃に変更する制御指令を送信しない。
したがって、空調機器３１の設定温度Ｔ１が２７℃から変更されず、現状運転条件に対してさらに省エネルギー運転が実現されることはない。
なお、以下の事例では、各運転条件におけるエネルギー消費量の大小の判定は、各運転条件における設定温度の大小で判定する場合を説明している。それぞれの場合での大小の判定に係る説明は以下省略する。
【００８０】
図３に例示する具体的な値を基にして説明する。
図３中、「時刻」は、パトロール時刻設定部４２に入力された設定タイミングで通信を行う時刻である。本例では１時間ごとに定められた時刻ｔｍである。
図３中、「現状運転条件」は、空調機器３１の現在の運転状況である。すなわち、制御部１１が、空調機器３１に対して設定タイミングで通信を行って、その通信時点での空調機器３１の設定温度Ｔ１を含む運転条件を現状運転条件として取得し、情報記憶部１５に記憶した値である。
また、図３中、「推奨設定条件」は第一運転条件である。
図３の例の場合、時刻ｔ１から時刻ｔ９において、設定温度Ｔ１は常に２７℃であるから、設定温度Ｔ２が２８℃に設定されている場合は、制御部１１は、設定温度Ｔ１の設定値を２８℃に変更する制御指令を送信しない。
【００８１】
〔事例３〕
以下では、本例の遠隔制御装置１０が第一自動調整モードで動作する場合を説明する。
この説明では、運転モードが暖房である場合を説明するが、冷房の場合でも、温度設定の大小が逆転するのみで、その概念は同様である。
たとえば、推奨設定条件として、あらかじめ管理者端末２０における表示画面４０で入力して情報記憶部１５に記憶した第一運転条件が設定されている。本例では、暖房モードで２８℃が設定されている。つまり、設定温度Ｔ２が２８℃に設定されている。
【００８２】
以下の例示では、制御部１１は、通信を一日間継続して行って、その一日を通じて現状運転条件のエネルギー消費量が第一運転条件のエネルギー消費量以下であると判定する場合に、第二運転条件を求め、翌日に第一運転条件を第二運転条件に書き換えて、第二運転条件に従った運転を、翌日以降に行わせる制御指令を空調機器３１に送信する場合を説明する。
【００８３】
一日目の動作は、事例２の場合と同じである。
すなわち、制御部１１はパトロールとして、空調機器３１に対して、時刻ｔｍ（ｍは１以上の整数）毎に通信を行って、それぞれの時刻ｔｍ時点での、空調機器３１の現状運転条件を取得する。
制御部１１は、この通信を一日間継続して行うが、図３の場合には、この一日を通じて現状運転条件のエネルギー消費量が第一運転条件のエネルギー消費量以下である。
【００８４】
したがって制御部１１は、第一運転条件のエネルギー消費量未満かつ現状運転条件のエネルギー消費量以下になる第二運転条件を求め翌日に第一運転条件を第二運転条件に書き換えて、第二運転条件を新たな第一運転条件として、第二運転条件に従った運転を、翌日以降に行わせる制御指令を空調機器３１に送信する。そして制御部１１は、推奨設定条件（第一運転条件）の設定温度Ｔ２を、当該第二運転条件に書き換えて情報記憶部１５に記憶する。
【００８５】
制御部１１は、設定温度Ｔ２未満かつ設定温度Ｔ１以下の温度として、設定温度Ｔ１よりも所定温度だけ小さい値を求める。
例えば制御部１１は、設定温度Ｔ２未満かつ設定温度Ｔ１以下の温度として、設定温度Ｔ１よりも所定温度として３℃だけ小さい値を求める。
【００８６】
本例の場合は、制御部１１は、設定温度Ｔ２の２８℃未満かつ設定温度Ｔ１の２７℃以下の温度として、設定温度Ｔ１の２７℃よりも３℃小さい、２４℃を求め、翌日の設定温度Ｔ２を２４℃に書き換える制御指令を空調機器３１に送信する。
【００８７】
〔事例４〕
以下では、事例３の後、第二自動調整モードで動作しない場合を説明する。
本例の遠隔制御装置１０の通常の動作を、図４に例示する具体的な値を基にして説明する。この説明では、運転モードが暖房である場合を説明するが、冷房の場合でも、温度設定の大小が逆転するのみで、その概念は同様である。
図３と同様に、図４中、「時刻」は、時刻ｔｍであり、「現状運転条件」は、空調機器３１の現在の運転状況であり、「推奨設定条件」は第一運転条件である。
【００８８】
なお、以下では、事例３の後、第二自動調整モードで動作しない場合を説明するのであるが、たとえば、推奨設定条件として、あらかじめ管理者端末２０における表示画面４０で入力して情報記憶部１５に記憶した第一運転条件が、暖房モードで２４℃に設定されている場合も本例と同じである。
【００８９】
制御部１１は最初のパトロールとして、空調機器３１に対して、時刻ｔ１に通信を行って、その時刻ｔ１時点での、空調機器３１の現状運転条件を取得する。
図４の例では、時刻ｔ１において空調機器３１は、運転状態にあり、暖房モードで運転され、空調機器３１の設定温度Ｔ１は２７℃に設定されていた。
時刻ｔ１の推奨設定条件には、あらかじめ情報記憶部１５に記憶した第一運転条件が設定されている。本例では、暖房モードで２４℃が設定されている。
時刻ｔ１の時点では、現状運転条件と推奨設定条件とは相違する。したがって、制御部１１は、空調機器３１に対して、推奨設定条件すなわち第一運転条件に従った運転を行わせる制御指令を送信する。
【００９０】
制御部１１は空調機器３１に対して、時刻ｔ２に通信を行って、その時刻ｔ２時点での、空調機器３１の現状運転条件を取得する。
図４の例では、時刻ｔ２において空調機器３１は、運転状態にあり、暖房モードで運転され、空調機器３１の設定温度Ｔ１は２４℃に設定されていた。
時刻ｔ２の時点では、現状運転条件と推奨設定条件とは一致する。したがって、制御部１１は、空調機器３１に対して、制御指令を送信しない。
しかし本例では、その後使用者が、快適でないと感じ、空調機器３１の設定温度Ｔ１を、３２℃に変更した。空調機器３１の設定温度Ｔ１が２４℃に設定されると、使用者は寒いと感じるためである。
【００９１】
制御部１１は空調機器３１に対して、時刻ｔ３に通信を行って、その時刻ｔ３時点での、空調機器３１の現状運転条件を取得する。
図４の例では、時刻ｔ３において空調機器３１は、運転状態にあり、暖房モードで運転され、空調機器３１の設定温度Ｔ１は３２℃に設定されていた。
時刻ｔ３の時点では、現状運転条件と推奨設定条件とは相違する。したがって、制御部１１は、空調機器３１に対して、推奨設定条件すなわち第一運転条件に従った運転を行わせる制御指令を送信する。
しかし本例では、使用者が、やはり快適でないと感じ、空調機器３１の設定温度Ｔ１を、３２℃に変更した。空調機器３１の設定温度Ｔ１が２４℃に設定されると、使用者は寒いと感じるためである。
【００９２】
時刻ｔ４以降、同様に制御部１１は空調機器３１に対して通信を行って、第一運転条件に従った運転を行わせる制御指令を送信するが、使用者が、やはり快適でないと感じ、空調機器３１の設定温度Ｔ１を、第一運転条件に従った運転よりも高い温度に変更してしまう。
本例では、一定間経過後、使用者は設定温度Ｔ１をくりかえし２８℃に設定し、制御部１１は設定温度Ｔ１をくりかえし２４℃に設定する状態を繰り返す状態に収束した（時刻ｔ６以降）。
以後、遠隔制御装置１０は、同様の動作を、あらかじめ情報記憶部１５に記憶されていた第一運転条件にしたがって、繰り返す。
【００９３】
したがって、本例では、空調機器３１の推奨設定温度は２４℃と定められていたが、当該推奨設定温度とした場合には、使用者が快適でないと感じるため、設定温度Ｔ１を高い温度に設定し、結果としては空調機器３１は、概ね設定温度Ｔ１が２８℃に定められて運転されたため、期待通りの省エネは図れていない。また、使用者にとっても、空調機器３１が２４℃と定められるたびに寒いと感じるため、必ずしも快適とは言えない状態であり、好ましくない。
【００９４】
〔事例５〕
以下では、事例３の後、第二自動調整モードで動作する場合を説明する。
本例の遠隔制御装置１０の通常の動作を、図５に例示する具体的な値を基にして説明する。この説明では、運転モードが暖房である場合を説明するが、冷房の場合でも、温度設定の大小が逆転するのみで、その概念は同様である。
【００９５】
また、以下では、事例３の後、第二自動調整モードで動作する場合を説明するのであるが、たとえば、推奨設定条件として、あらかじめ管理者端末２０における表示画面４０で入力して情報記憶部１５に記憶した第一運転条件が、暖房モードで２４℃に設定されている場合も本例と同じである。
【００９６】
図５は、あらかじめ情報記憶部１５に記憶されていた第一運転条件にしたがって、制御部１１が空調機器３１の動作を、第二自動調整モードを実行しつつ制御する一例を示している。
図５中、「時刻」は、パトロール時刻設定部４２に入力された設定タイミングで通信を行う時刻である。本例では１時間ごとに定められた時刻ｔ１および時刻ｔｎ（ｎは２以上の整数）に通信を行うよう設定されている。以下、ｔ２は、二回目の時刻を意味し、ｎ−１回目、ｎ＋１回目の時刻はそれぞれ、時刻ｔｎ−１、時刻ｔｎ＋１と表す。
【００９７】
「現状運転条件」は、空調機器３１の現在の運転状況である。すなわち、制御部１１が、空調機器３１に対して設定タイミングで通信を行って、その通信時点での空調機器３１の設定温度Ｔ１を含む運転条件を現状運転条件として取得し、情報記憶部１５に記憶した値である。
【００９８】
「設定指令条件」は、制御部１１が空調機器３１の運転条件として、使用者の快適さと、省エネ性がバランスする運転条件であると、時刻ｔｎ時点で新たに判断した運転条件であり、時刻ｔｎ時点で求めた第三運転条件が設定される。
「設定温度」の初期値（時刻ｔ１の時の設定値）は、あらかじめ入力して情報記憶部１５に記憶した第一運転条件である。
【００９９】
「推奨設定条件」には、第一運転条件が設定される。
「推奨設定条件」の初期値（時刻ｔ１の時の設定値）は、あらかじめ情報記憶部１５に記憶されていた第一運転条件が用いられる。時刻ｔｎ時点での第一運転条件としては、時刻ｔｎ−１の時点で求めた第三運転条件を新たな第一運転条件として設定する。
つまり時刻ｔｎ−１の時点で導いた、第三運転条件を、時刻ｔｎの時点での第一運転条件として書き換えて設定する。
【０１００】
以下で説明する動作例では、制御部１１は現状運転条件、推奨設定条件（第一設定条件）、設定指令条件（第二設定条件）のそれぞれの運転条件のうち、設定温度Ｔ１、Ｔ２、Ｔ３をエネルギー消費量の判定に用いる判定パラメータとして参照し、自動調整を行っている。つまり、エネルギー消費量の大小の判定を、設定温度Ｔ１、Ｔ２、Ｔ３の大小で判定する場合を説明している。それぞれの場合での大小の判定に係る説明は以下省略する。
ここで、設定温度Ｔ１、Ｔ２、Ｔ３はそれぞれ、現状運転条件、推奨設定条件（第一設定条件）、設定指令条件（第二設定条件）に含まれる。
すなわち本例では、制御部１１は、空調機器３１に対して設定タイミングである時刻ｔｎごとに通信を一回行って、その時刻ｔｎでの空調機器の設定温度Ｔ１を現状運転条件として取得する。また、時刻ｔｎ時点での推奨設定条件の設定温度Ｔ２を取得する。
【０１０１】
さらに制御部１１は、時刻ｔｎごとに通信を１回行った場合に、時刻ｔｎ時点で現状運転条件のエネルギー消費量が第一運転条件のエネルギー消費量より大きいと判定する場合は、設定指令条件（第三運転条件）を求め、設定指令条件に従った運転を行わせる制御指令を空調機器３１に送信する。
【０１０２】
つまり本例では、制御部１１は、時刻ｔｎでの空調機器の設定温度Ｔ１が時刻ｔｎ時点での推奨設定条件の設定温度Ｔ２より大きい場合に、時刻ｔｎでの空調機器の現状運転条件の設定温度Ｔ１と時刻ｔｎ時点での推奨設定条件の設定温度Ｔ２との「間の温度」を時刻ｔｎでの設定指令条件の設定温度Ｔ３として求め、当該設定温度Ｔ３で運転を行わせる制御指令を空調機器３１に送信する動作を行う。
【０１０３】
ここで、設定温度Ｔ１と設定温度Ｔ２との「間の温度」として求められる設定温度Ｔ３は、設定温度Ｔ２より大きく、設定温度Ｔ１以下の値に定められる。
つまり、時刻ｔｎでの設定温度Ｔ１の値が大きくなるに応じて大きくなる現状運転条件のエネルギー消費量が、設定温度Ｔ２の値が大きくなるに応じて大きくなる第一運転条件のエネルギー消費量より大きいと判定する場合に、空調機器３１のエネルギー消費量が、現状運転条件のエネルギー消費量以下であり第一運転条件のエネルギー消費量を超えるエネルギー消費量になる第三運転条件、すなわち現状運転条件のエネルギー消費量と第一運転条件のエネルギー消費量との間のエネルギー消費量になる第三運転条件の設定温度Ｔ３を、設定温度Ｔ１と設定温度Ｔ２との「間の温度」として求めているのである。
【０１０４】
そして制御部１１は、時刻ｔｎ＋１時点での推奨設定条件の設定温度Ｔ２を、当該設定温度Ｔ３に書き換えて情報記憶部１５に記憶する。
一方制御部１１は、時刻ｔｎでの空調機器の設定温度Ｔ１が時刻ｔｎ時点での推奨設定条件の設定温度Ｔ２より小さい場合に、時刻ｔｎ＋１時点での推奨設定条件の設定温度Ｔ２を、時刻ｔｎでの空調機器３１の設定温度Ｔ１に書き換えて情報記憶部１５に記憶する。
【０１０５】
時刻ｔｎでの設定温度Ｔ３を求める方法について補足する。
たとえば、設定温度Ｔ３は時刻ｔｎでの空調機器の設定温度Ｔ１と時刻ｔｎ時点での推奨設定条件の設定温度Ｔ２との相加平均を用いることができる。
また、設定温度Ｔ３は時刻ｔｎでの空調機器の設定温度Ｔ１と時刻ｔｎ時点での推奨設定条件の設定温度Ｔ２の範囲内で、設定温度Ｔ２に対して所定の温度を追加して求めてもよい。例えば、所定の温度の追加として、１℃追加として求めてもよい。
【０１０６】
以下、図５の具体的な値を用いて、第二自動調整モードの動作の具体例を説明する。この説明では、運転モードが暖房である場合を説明するが、冷房の場合でも、温度設定の大小が逆転するのみで、その概念は同様である。
図５の例では、制御部１１は、時刻ｔｎでの空調機器の設定温度Ｔ１が、時刻ｔｎ時点での推奨設定条件の設定温度Ｔ２より大きい場合に、時刻ｔｎでの設定温度Ｔ３は、時刻ｔｎでの空調機器の設定温度Ｔ１と時刻ｔｎ時点での推奨設定条件の設定温度Ｔ２と、の間の温度として、設定温度Ｔ２に対して１℃追加した値を求めている。
【０１０７】
制御部１１は最初のパトロールとして、空調機器３１に対して、時刻ｔ１に通信を行って、その時刻ｔ１時点での、空調機器３１の現状運転条件を取得する。
図５の例では、時刻ｔ１において空調機器３１は、運転状態にあり、暖房モードで運転され、空調機器３１の設定温度Ｔ１は２７℃に設定されていた。
時刻ｔ１と時の推奨設定条件と設定指令条件には、あらかじめ管理者端末２０における表示画面４０で入力して情報記憶部１５に記憶した第一運転条件が用いられる。本例では、それぞれ、暖房モードで２４℃が設定されている。
時刻ｔ１の時点では、現状運転条件と推奨設定条件とは相違する。したがって、制御部１１は、空調機器３１に対して、設定指令条件すなわち第一運転条件に従った運転を行わせる制御指令を送信する。
【０１０８】
制御部１１は空調機器３１に対して、時刻ｔ２に通信を行って、その時刻ｔ２時点での、空調機器３１の現状運転条件を取得する。
図５の例では、時刻ｔ２において空調機器３１は、運転状態にあり、暖房モードで運転され、空調機器３１の設定温度Ｔ１は２４℃に設定されていた。
【０１０９】
時刻ｔ２の時点では、推奨設定条件の設定温度Ｔ２は２４℃に設定されているため、現状運転条件（設定温度Ｔ１）と推奨設定条件（設定温度Ｔ２）とは一致する。したがって、制御部１１は、空調機器３１に対して、制御指令を送信しない。
しかし本例では、その後使用者が、快適でないと感じ、その後、空調機器３１の設定温度Ｔ１を、３２℃に変更した。空調機器３１の設定温度Ｔ１が２４℃に設定されると、使用者は寒いと感じるためである。
【０１１０】
制御部１１は空調機器３１に対して、時刻ｔ３に通信を行って、その時刻ｔ３時点での、空調機器３１の現状運転条件を取得する。
図５の例では、時刻ｔ３において空調機器３１は、運転状態にあり、暖房モードで運転され、空調機器３１の設定温度Ｔ１は３２℃に設定されていた。
【０１１１】
時刻ｔ３の時点では、現状運転条件（設定温度Ｔ１）と推奨設定条件（設定温度Ｔ２）とは設定温度Ｔ１が設定温度Ｔ２よりも大きい状態で相違する。したがって、制御部１１は、設定温度Ｔ１と設定温度Ｔ２の間の温度を求め、設定指令条件の設定温度Ｔ３を求める。この例では、設定温度Ｔ３は、設定温度Ｔ２にプラス１℃の値を定める。すなわち、設定温度Ｔ３として、２５℃を定めて情報記憶部１５に記憶する。
さらに制御部１１は、当該設定温度Ｔ３で運転を行わせる制御指令を空調機器３１に送信する。
【０１１２】
そして制御部１１は、時刻ｔ４時点での推奨設定条件の設定温度Ｔ２を、時刻ｔ４時点での設定温度Ｔ３にと同じ値に書き換えて情報記憶部１５に記憶する。
しかし本例では、使用者が、やはり快適でないと感じ、その後、空調機器３１の設定温度Ｔ１を、３０℃に変更した。空調機器３１の設定温度Ｔ１が２５℃に設定されると、使用者は少々寒いと感じるためである。
【０１１３】
制御部１１は空調機器３１に対して、時刻ｔ４に通信を行って、その時刻ｔ４時点での、空調機器３１の現状運転条件を取得する。
図５の例では、時刻ｔ４において空調機器３１は、運転状態にあり、暖房モードで運転され、空調機器３１の設定温度Ｔ１は３０℃に設定されていた。
【０１１４】
時刻ｔ４の時点では、現状運転条件（設定温度Ｔ１）と推奨設定条件（設定温度Ｔ２）とは設定温度Ｔ１が設定温度Ｔ２よりも大きい状態で相違する。したがって、制御部１１は、設定温度Ｔ１と設定温度Ｔ２の間の温度を求め、設定指令条件の設定温度Ｔ３を求める。この例では、設定温度Ｔ３は、設定温度Ｔ２にプラス１℃の値を定める。すなわち、設定温度Ｔ３として、２６℃を定めて情報記憶部１５に記憶する。
さらに制御部１１は、当該設定温度Ｔ３で運転を行わせる制御指令を空調機器３１に送信する。
【０１１５】
そして制御部１１は、時刻ｔ５時点での推奨設定条件の設定温度Ｔ２を、時刻ｔ４時点での設定温度Ｔ３にと同じ値に書き換えて情報記憶部１５に記憶する。
しかし本例では、使用者が、なんとなく快適でないと感じ、その後、空調機器３１の設定温度Ｔ１を、２７℃に変更した。空調機器３１の設定温度Ｔ１が２６℃に設定された段階で、使用者はまだ少し寒い気がしたためである。
【０１１６】
制御部１１は空調機器３１に対して、時刻ｔ５に通信を行って、その時刻ｔ５時点での、空調機器３１の現状運転条件を取得する。
図５の例では、時刻ｔ５において空調機器３１は、運転状態にあり、暖房モードで運転され、空調機器３１の設定温度Ｔ１は２７℃に設定されていた。
【０１１７】
時刻ｔ５の時点では、現状運転条件（設定温度Ｔ１）と推奨設定条件（設定温度Ｔ２）とは設定温度Ｔ１が設定温度Ｔ２よりも大きい状態で相違する。したがって、制御部１１は、設定温度Ｔ１と設定温度Ｔ２の間の温度を求め、設定指令条件の設定温度Ｔ３を求める。この例では、設定温度Ｔ３は、設定温度Ｔ２にプラス１℃の値を定める。すなわち、設定温度Ｔ３として、２７℃を定めて情報記憶部１５に記憶する。
さらに制御部１１は、当該設定温度Ｔ３で運転を行わせる制御指令を空調機器３１に送信する。
【０１１８】
そして制御部１１は、時刻ｔ６時点での推奨設定条件の設定温度Ｔ２を、時刻ｔ５時点での設定温度Ｔ３にと同じ値に書き換えて情報記憶部１５に記憶する。
本例では、使用者が、そろそろ快適だと感じ、空調機器３１の設定温度Ｔ１をその後変更しなかった。
【０１１９】
制御部１１は空調機器３１に対して、時刻ｔ６に通信を行って、その時刻ｔ６時点での、空調機器３１の現状運転条件を取得する。
図５の例では、時刻ｔ６において空調機器３１は、運転状態にあり、暖房モードで運転され、空調機器３１の設定温度Ｔ１は２７℃に設定されていた。
【０１２０】
時刻ｔ６の時点では、現状運転条件（設定温度Ｔ１）と推奨設定条件（設定温度Ｔ２）とは一致する。したがって、制御部１１は、空調機器３１に対して、制御指令を送信しない。
しかし本例では、使用者が、なんとなく快適でないと感じ、その後、空調機器３１の設定温度Ｔ１を、２６℃に変更した。空調機器３１の設定温度Ｔ１が持続的に２７℃に設定された場合に、使用者はむしろ暑く感じたためである。
【０１２１】
制御部１１は空調機器３１に対して、時刻ｔ７に通信を行って、その時刻ｔ７時点での、空調機器３１の現状運転条件を取得する。
図５の例では、時刻ｔ７において空調機器３１は、運転状態にあり、暖房モードで運転され、空調機器３１の設定温度Ｔ１は２６℃に設定されていた。
【０１２２】
時刻ｔ７の時点では、現状運転条件（設定温度Ｔ１）と推奨設定条件（設定温度Ｔ２）とは設定温度Ｔ１が設定温度Ｔ２よりも小さい状態で相違する。したがって、制御部１１は、設定温度Ｔ３として、時刻ｔ７時点での設定温度Ｔ１と同じ値の２６℃に書き換えて情報記憶部１５に記憶する。
この場合、制御部１１は、当該設定温度Ｔ３で運転を行わせる制御指令を空調機器３１に送信する必要は無い。
【０１２３】
さらに制御部１１は、時刻ｔ８時点での推奨設定条件の設定温度Ｔ２を、時刻ｔ７時点での設定温度Ｔ１と同じ値の２６℃に書き換えて情報記憶部１５に記憶する。
本例では、使用者が、快適だと感じ、空調機器３１の設定温度Ｔ１をその後変更しなかった。
【０１２４】
制御部１１は空調機器３１に対して、時刻ｔ８に通信を行って、その時刻ｔ８時点での、空調機器３１の現状運転条件を取得する。
図５の例では、時刻ｔ８において空調機器３１は、運転状態にあり、暖房モードで運転され、空調機器３１の設定温度Ｔ１は２６℃に設定されていた。
【０１２５】
時刻ｔ８の時点では、推奨設定条件の設定温度Ｔ２は２６℃に設定されているため、現状運転条件（設定温度Ｔ１）と推奨設定条件（設定温度Ｔ２）とは一致する。したがって、制御部１１は、空調機器３１に対して、制御指令を送信しない。
さらに、制御部１１は空調機器３１に対して、時刻ｔ９に通信を行った場合も、時刻ｔ８に通信を行った場合と同様である。
本例では、使用者が、空調機器３１の設定温度Ｔ１が持続的に２６℃に設定された場合に、十分快適に感じたためである。
【０１２６】
このように、遠隔制御装置１０が第二自動調整モードを備える場合には、空調機器３１の推奨設定温度（第一運転条件）は２６℃に収束した。
したがって時刻ｔ１の時点より省エネ運転とすることに成功した。
さらに、遠隔制御装置１０が第二自動調整モードを備えない場合（事例４の場合）は、概ね設定温度Ｔ１が２８℃に定められて運転されたのであるが、第二自動調整モードを備える場合には、空調機器３１の推奨設定温度（第一運転条件）は２６℃に収束し、使用者が快適な範囲で省エネルギーを実現できた。
【０１２７】
〔別実施形態〕
（１）上記実施形態では、制御部１１は、時刻ｔｎごとに通信を１回行った場合に、時刻ｔｎ時点で現状運転条件のエネルギー消費量が第一運転条件のエネルギー消費量より大きいと判定する場合は、設定指令条件（第三運転条件）を求め、設定指令条件に従った運転を行わせる制御指令を空調機器３１に送信する例を示したが、制御部１１は、所定の回数、たとえば時刻ｔｎおよび時刻ｔｎ＋１の時点の合計二回、それぞれ通信を行って、それぞれの通信時点で現状運転条件のエネルギー消費量が第一運転条件のエネルギー消費量より大きいと判定する場合に、設定指令条件（第三運転条件）を求め、設定指令条件に従った運転を行わせる制御指令を空調機器３１に送信してもよい。
【０１２８】
〔事例６〕
具体的にはたとえば、制御部１１は、時刻ｔｎおよび時刻ｔｎ＋１の時点の合計２回通信を行って、２回連続してそれぞれの時点での現状運転条件のエネルギー消費量が第一運転条件のエネルギー消費量より大きいと判定する場合に、設定指令条件（第三運転条件）を求め、設定指令条件に従った運転を行わせる制御指令を空調機器３１に送信することもできる。
【０１２９】
この場合の具体例を図６に示す。
基本的な動作は図５で例示した上述の実施形態と同様である。
図６中、時刻ｔ３および時刻ｔ４の時点において、２回連続して設定温度Ｔ１が設定温度Ｔ２よりも高いため、時刻ｔ４の時点で設定指令条件（第三運転条件）であるＴ３を新たに２６℃として求め、空調機器３１に送信している。
また、図６中、時刻ｔ４および時刻ｔ５の時点において、２回連続して設定温度Ｔ１が設定温度Ｔ２よりも高いため、時刻ｔ５の時点で設定指令条件（第三運転条件）であるＴ３を新たに２７℃として求め、空調機器３１に送信している。
【０１３０】
（２）上記実施形態では、制御部１１は現状運転条件、推奨設定条件（第一設定条件）、設定指令条件（第二設定条件）のそれぞれの運転条件のうち、設定温度Ｔ１、Ｔ２、Ｔ３をエネルギー消費量の判定パラメータとして参照し、自動調整を行う場合を示したが、現状運転条件、推奨設定条件（第一設定条件）、設定指令条件（第二設定条件）のそれぞれの運転条件として参照する判定パラメータには、さらに湿度に係る情報やパラメータを含めてもよい。この場合、第一運転条件として推奨設定湿度を含めて参照し、現状運転条件として設定湿度を含めて参照すればよい。湿度に係る情報やパラメータを基にしてエネルギー消費量の大小を判定する方法は、公知の方法を用いればよい。
【０１３１】
（３）上記実施形態では、暖房の場合の第二自動調整モードを説明したが、冷房の場合にも第二自動調整モードは行える。
冷房の場合、例えば制御部１１は以下のように動作する。
制御部１１は、時刻ｔｎでの空調機器の設定温度Ｔ１が時刻ｔｎ時点での推奨設定条件の設定温度Ｔ２より小さい場合に、時刻ｔｎでの空調機器の現状運転条件の設定温度Ｔ１と時刻ｔｎ時点での推奨設定条件の設定温度Ｔ２との「間の温度」を時刻ｔｎでの設定指令条件の設定温度Ｔ３として求め、当該設定温度Ｔ３で運転を行わせる制御指令を空調機器３１に送信する動作を行う。
この場合、設定温度Ｔ３は、設定温度Ｔ２より小さく、設定温度Ｔ１以上の値に定められる。
【０１３２】
つまり、時刻ｔｎでの設定温度Ｔ１の値が小さくなるに応じて大きくなる現状運転条件のエネルギー消費量が、設定温度Ｔ２の値が小さくなるに応じて大きくなる第一運転条件のエネルギー消費量より大きいと判定する場合に、空調機器３１のエネルギー消費量が、現状運転条件のエネルギー消費量と第一運転条件のエネルギー消費量との間のエネルギー消費量になる第三運転条件の設定温度Ｔ３を、設定温度Ｔ１と設定温度Ｔ２との「間の温度」として求めればよい。
【０１３３】
（４）上記実施形態では、制御部１１は、現状運転条件のエネルギー消費量が第一運転条件のエネルギー消費量以下であると判定する場合に、空調機器３１のエネルギー消費量が、第一運転条件のエネルギー消費量未満かつ現状運転条件のエネルギー消費量以下になる第二運転条件を求め、第二運転条件に従った運転を行わせる制御指令を空調機器３１に送信する動作を行い、そして、第一運転条件を第二運転条件に書き換えて情報記憶部１５に記憶する例を示した。
しかし、制御部１１は、現状運転条件のエネルギー消費量が第一運転条件のエネルギー消費量以下であると判定する場合に、第一運転条件を、現在の第一運転条件のエネルギー消費量未満になる運転条件に一旦書き換えて情報記憶部１５に記憶してもよい。
【０１３４】
この場合、第一運転条件のエネルギー消費量未満になる運転条件は、たとえば第二運転条件よりも、エネルギー消費量が多い運転条件でもよい。また、第一運転条件のエネルギー消費量未満になる運転条件は、現状運転条件のエネルギー消費量よりもエネルギー消費量が多い運転条件でもよい。
【０１３５】
たとえば、制御部１１は、現状運転条件のエネルギー消費量が第一運転条件のエネルギー消費量よりも非常に少ないと判定する場合に、第一運転条件を、現在の第一運転条件のエネルギー消費量未満であり、現状運転条件のエネルギー消費量よりもエネルギー消費量が多い運転条件になる運転条件に一旦書き換えて情報記憶部１５に記憶する場合がある。
【０１３６】
具体例として、たとえば暖房モードにおいて、第一運転条件として設定温度Ｔ２が３２℃に設定されており、現状運転条件として、設定温度Ｔ１が２４℃に設定されている場合を例示する。この場合、制御部１１は、現状運転条件のエネルギー消費量が第一運転条件のエネルギー消費量以下であると判定する。さらに、設定温度Ｔ１が設定温度Ｔ２に対して非常に低いため、制御部１１は、現状運転条件のエネルギー消費量が第一運転条件のエネルギー消費量よりも非常に少ない場合であると判定する。
したがって、制御部１１は、第一運転条件としての設定温度Ｔ２を、第一運転条件のエネルギー消費量未満であり、現状運転条件のエネルギー消費量よりもエネルギー消費量が多い運転条件になる運転条件となる設定温度に一旦書き換えて情報記憶部１５に記憶する。たとえば、第一運転条件としての設定温度Ｔ２を、２８℃に設定する。
【０１３７】
この例では、第二運転条件を求め、第一運転条件を当該第二運転条件に書き換えた場合、例えば第一運転条件である設定温度Ｔ２は２４℃に設定されることになる。しかし、このように第一運転条件を一度に非常に大きく変化させると、使用者が不快に感じる場合も起こりうる。
しかし、第一運転条件を、第一運転条件のエネルギー消費量未満であり、現状運転条件のエネルギー消費量よりもエネルギー消費量が多い運転条件になる運転条件に一旦書き換えて、現状運転条件と第一運転条件とを少しずつ近づけて第一運転条件の変化量を小さくすると、使用者が不快に感じる場合を回避することができる。
【０１３８】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【０１３９】
本発明は、遠隔制御の対象とする空調機器の管理者にとって利便性の高い遠隔制御装置を提供するために利用できる。
【符号の説明】
【０１４０】
１０      ：遠隔制御装置
１１      ：制御部
１５      ：情報記憶部
３１      ：空調機器
Ｎ        ：電気通信回線（通信回線）
Ｔ１      ：設定温度
【図１】
2018080898.tif 000003
【図２】
2018080898.tif 000004
【図３】
2018080898.tif 000005
【図４】
2018080898.tif 000006
【図５】
2018080898.tif 000007
【図６】
2018080898.tif 000008